(57)【要約】【課題】全体が紙製でありながらも、組み立てやすく、ゴミの発生を大幅に圧縮できる表示スタンド用台紙を提供すること。【解決手段】ほぼ同じサイズをした板紙製の上側基材１０と下側基材２０とを内面同士で貼り合わせてなる表示スタンド用台紙Ｓであって、上側基材１０の外面には絵柄等の印刷が施され、内面には上側基材を表示スタンドとして組み立てるための粘着剤１が配置されており、下側基材２０の外面には絵柄等の印刷が施され、内面には上側基材１０に設けられた粘着剤１と対向する位置に剥離剤２が配置されるとともに、下側基材２０を表示スタンドとして組み立てるための粘着剤１が配置されている。２枚を剥がして組み立てるだけで表示スタンドを作製することができるので組立が簡単であり、しかも通常は剥離紙として廃棄すべき一方の基材も表示スタンドの台紙として利用するので、ゴミの発生を大幅に圧縮することができる。【選択図】図２
2009080254.tif 000002
【特許請求の範囲】
【請求項１】
ほぼ同じサイズをした板紙製の上側基材と下側基材とを内面同士で貼り合わせてなる表示スタンド用台紙であって、上側基材の外面には絵柄等の印刷が施され、内面には上側基材を表示スタンドとして組み立てるための粘着剤が配置されており、下側基材の外面には絵柄等の印刷が施され、内面には上側基材に設けられた粘着剤と対向する位置に剥離剤が配置されるとともに、下側基材を表示スタンドとして組み立てるための粘着剤が配置されていることを特徴とする表示スタンド用台紙。
【発明の詳細な説明】
【技術分野】
【０００１】
本発明は、テーブルや机の上で立てて使用する表示スタンドの技術分野に属し、詳しくは、ファミリーレストランを始めとする各種の外食店舗で用いられているスタンドメニューや告知スタンドなどに好適に利用される表示スタンドに関するものである。
【背景技術】
【０００２】
従来より、ファミリーレストラン等の外食店舗においては、表示スタンド、例えば「季節のオススメ・メニュー」を表示したスタンドメニューや、「ポイントカード会員募集広告」を表示した告知スタンドなどを客席のテーブル上に置くことで、客の注意を喚起して販促効果を挙げることが一般的に広く行われている。このように多くの外食業で表示スタンドを採用している理由としては、狭いテーブルであっても常時配置しやすいことがある。スタンド式にせず、テーブルにメニューを直接貼付している店舗もまれに見られるが、テーブルに料理が運ばれてきた段階で満足に読めなくなってしまうために、「ついでの注文」を誘発させるための販促効果は期待できず、やはりスタンド式の方が優れている。
【０００３】
【特許文献１】実用新案登録第３０６０３６９号公報
【特許文献２】実開平７−３１９３８４号公報
【特許文献３】特開２００３−１０７９９９号公報
【特許文献４】特開２００５−１０７３０７号公報
【発明の開示】
【発明が解決しようとする課題】
【０００４】
このような表示スタンドは、紙とプラスチック（合成樹脂）の組合せからなるものが一般的である。なぜなら、すべてプラスチックで製造すると、コストが高くなりすぎてしまうので採用できず、逆にすべて紙で製造するとコストは低下するものの、見た目が安っぽい印象になってしまい、本来の販促効果が期待できなくなるからである。
【０００５】
例えば、すべて紙としながらも自立させるためには、複雑なパーツを組み合わせて自立構造を設けるか、あるいは三角柱や四角柱などの立体構造とする必要がある。立体構造にする場合、接合箇所を接着テープなどで貼り合わせるか、一方に舌片を設けるとともに他方に切欠を設けて互いに係止させるといった方策を採用せざるを得ず、いずれの方法によっても安っぽい感じの仕上がりにならざるを得なかった。
【０００６】
そのため、一般的には情報部分（例えば、季節限定メニュー）は厚紙印刷とし、その情報部分を自立させるためのスタンド部分をプラスチックとしている場合が多い。
【０００７】
紙とプラスチックを組み合わせることで、スタンドそのものの強度が保持されるため、お客様が飲み物をこぼしたりして何かと汚れがちなテーブルに置かれていても長時間にわたって十分な耐久性を維持するとともに、また印刷した厚紙のみを差し替えるだけで、季節に応じた販促スタンドとすることができるため、その店舗で働く従業員にとってもその維持・交換作業が簡素化されるという効果を有している。逆に言えば、プラスチック製のスタンドが高価であるが故に、何回も使い回さないと費用対効果の観点で問題があるという見方もできる。
【０００８】
しかしながら、プラスチック製のスタンドは耐久性を有するが故に、スタンドそのものの清掃が欠かせない（簡単には廃棄できない）という点と、清掃を実施していても、特に薄肉部分でプラスチックの破壊や劣化が発生しやすい、あるいは情報部分を挟み込む部分などにゴミが溜まりやすく不衛生であるという問題があって、一元的にリサイクルしやすいオール紙製の表示スタンドへの期待が高まっている。
【０００９】
そこで、板紙製の台紙の裏側に剥離紙を介して粘着剤を設けておき、剥離紙を剥がして粘着剤を露出させ、所定の折曲げ線で順次折り曲げて自立形状の表示スタンドとすることが考えられる。ところが、実際にこのタイプの表示スタンドを利用するためには、台紙とほぼ同じサイズの大きなゴミが発生することになる。
【００１０】
多くの場合、表示スタンドとなるべき台紙が２１０〜３１０ｇ／ｍ2 程度の厚紙、廃棄される剥離紙側は５０〜１００ｇ／ｍ2 であるため、乱暴に言えば、台紙の半分以下程度の資源の廃棄で済むとは言うものの、面積比では概ね同等になるため、やはり大きなゴミが発生することになる。
【００１１】
この剥離紙側には、組み立て方法やその他の必要事項の印刷が可能であるために、必ずしもゴミとなる訳ではないが、例えばファミリーレストランなどで毎月定期的につくる場合には、２回目以降、組み立て方の説明は必ずしも必要ではないため、無駄なゴミとなってしまう場合が懸念される。
【００１２】
本発明は、このような背景に鑑みてなされたものであり、その目的とするところは、全体が紙製でありながらも、組み立てやすく、ゴミの発生を大幅に圧縮できる表示スタンド用台紙を提供することにある。
【課題を解決するための手段】
【００１３】
上記の目的を達成するため、本発明の表示スタンド用台紙は、ほぼ同じサイズをした板紙製の上側基材と下側基材とを内面同士で貼り合わせてなる表示スタンド用台紙であって、上側基材の外面には絵柄等の印刷が施され、内面には上側基材を表示スタンドとして組み立てるための粘着剤が配置されており、下側基材の外面には絵柄等の印刷が施され、内面には上側基材に設けられた粘着剤と対向する位置に剥離剤が配置されるとともに、下側基材を表示スタンドとして組み立てるための粘着剤が配置されていることを特徴とする。
【発明の効果】
【００１４】
本発明の表示スタンド用台紙は、上側基材と下側基材の２枚を剥がして組み立てるだけで表示スタンドを作製することができるので組立が簡単であり、しかも通常は剥離紙として廃棄すべき一方の基材も表示スタンドの台紙として利用するので、ゴミの発生を大幅に圧縮することができる。
【発明を実施するための最良の形態】
【００１５】
以下、本発明の実施の形態について図面を参照しながら詳細に説明する。
【００１６】
図１は本発明に係る表示スタンド用台紙の一例を離間状態で示す斜視図、図２は図１に示した離間状態の表示スタンド用台紙を側面から見た状態で示す説明図である。
【００１７】
図１及び図２から分かるように、表示スタンド用台紙Ｓは、ほぼ同じサイズをした板紙からなる横長状の上側基材１０と下側基材２０を貼り合わせて構成されており、この表示スタンド用台紙Ｓは、多面付けで作製したシート状のものを個々に切断して製造されるものである。
【００１８】
上側基材１０は、３方向に拡がる放射状の表示スタンドを形成するためのもので、外側に絵柄等の印刷が施されている。そして、並び方向に等幅の６つのパネル部分１１〜１６に区画するように折曲げ線ａ〜ｅが設けられ、一つ置きのパネル部分１１，１３，１５の内面には粘着剤１が配置されている。また、パネル部分１６にはカット線αを介して細幅の端部分１７が設けられ、その内面に剥離剤２が配置されている。
【００１９】
下側基材２０は、三角筒状の表示スタンドを形成するためのもので、内側側に絵柄等の印刷が施されており、並び方向に等幅の３つのパネル部分２１〜２３に区画するように折曲げ線ａ，ｂが設けられている。これらのパネル部分２１〜２３は、上側基材１０の各パネル部分の倍の長さになっており、各パネル部分２１〜２３の内面には上側基材１０の一つ置きのパネル部分１１，１３，１５に対応した半分に剥離剤２が配置されている。また、パネル部分２３には折曲げ線ｃを介して細幅の端部分２４が設けられ、その内面に粘着剤１が配置されている。
【００２０】
上側基材１０と下側基材２０の素材としては、白板紙、チップボール等のいわゆる板紙と呼ばれる用紙から適宜選択したものが使用される。台紙１に施す印刷は、絵柄を始めとし説明文、数字等、表示スタンドの目的に応じたものが適宜選択される。また、上側基材１０の一つ置きのパネル部分１１，１３，１５に配置する粘着剤１は、これらのパネル部分１１，１３，１５の裏側全面に塗布するのが好ましいが、隣接するパネル部分の裏側同士が貼り合わされればその塗布パターンは任意である。また、下側基材２０のパネル部分２１〜２３に配置する剥離剤２は、前記のような半分だけでなく全面に塗布しておいてもよく、このようにすることで印刷物の光沢感や輝度感が全面で同じになる。
【００２１】
図３はこの表示スタンド用台紙Ｓの組立手順の第１段階を示す説明図、図４は上側基材１０を組み立てた表示スタンドＡの斜視図、図５は同じく平面図、図６は下側基材２０を組み立てた表示スタンドＢの斜視図、図７は同じく平面図である。
【００２２】
表示スタンド用台紙Ｓを組み立てるには、まず、図３（ａ）に示す貼合せ状態から、上側基材１０の端部分１７を掴んで図３（ｂ）に示す如くパネル部分１６をカット線αから掴んで持ち上げ、そのままパネル部分１１〜１６をすべて引き上げ、図３（ｃ）に示すように上側基材１０と下側基材２０とに分離する。そして、分離した上側基材１０と下側基材２０はそれぞれ所定の手順で表示スタンドに組み立てる。
【００２３】
上側基材１０は、パネル部分１１とパネル部分１２、パネル部分１３とパネル部分１４、パネル部分１５とパネル部分１６を粘着剤１で貼着してそれぞれ二重パネルとすることにより、図４，５に示すような矩形状の二重パネルが放射状に３つ突き出た自立形状とする。或いは、パネル部分１２とパネル部分１３、パネル部分１４とパネル部分１５を粘着剤１で貼着してそれぞれを二重パネルとし、さらにパネル部分１１とパネル部分１６を粘着剤１で貼着して二重パネルとすることによっても、矩形状の二重パネルが放射状に３つ突き出た自立形状とすることができる。
【００２４】
下側基材２０は、図３（ｄ）に示すように、端部分２４の上に残っている上側基材１０の端部分１７を剥がしてから、折曲げ線ａ〜ｃで各パネル部分２１〜２３を折り曲げ、端部分２４をパネル部分２１の端部裏面側に貼着することで、図６，７に示すような三角筒状の自立形状とする。この場合、剥離剤２が表側に露出した状態となる。
【００２５】
このように、通常は剥離紙として廃棄すべき一方の基材も表示スタンドの台紙として利用するので、ゴミの発生を大幅に圧縮することができる。そして、本実施形態の表示スタンド用台紙Ｓは、図８に示すように、下側基材２０で作られた表示スタンドＢの内部に上側基材１０で作られた表示スタンドＡをちょうど挿入することができるため、設置面積を広く取ることなく、情報掲載量を多くすることができる。また、挿入した表示スタンドＡを手で簡単に引っ張り出せるので、ファミリーレストランのメニューに限らず、例えばカレンダーであれば、普段はあまり使用しないが、時折必要となるような半年先のものを上側基材に印刷しておくことで、同程度の設置面積で使い勝手のよい表示スタンドとすることができる。
【００２６】
本発明を実施する場合、両基材に粘着剤と剥離剤が交互に等間隔で設けられ、上側基材に粘着剤がある場合は下側基材に剥離剤、上側基材に剥離剤がある場合は下側基材に粘着剤、となるようにすれば、両基材を簡単に表示スタンドとして組み立てることができるように思える。しかしながら、この場合は、各基材内で所定の形状に折り畳む際に、粘着剤と剥離剤とが接するようになってしまうため、何かの拍子で剥離してしまうことが予想され、キチンと折り畳んで形状を保持することが困難になってしまう。そこで、本実施形態では、上側基材１０と下側基材２０の折畳み方を異なるものにすることで、この問題をも解決し、さらに両基材から組み立てた表示スタンドＡ，Ｂを組み合わせることで、狭いスペースに多くの情報を設けることを可能とした。
【産業上の利用可能性】
【００２７】
本発明の表示スタンド用台紙は、外食業の客席テーブルに設置するスタンドメニューとして利用するのが好適ではあるが、一般生活者と直接的な接点を有する有店舗業者においては、何かしらの販促のためにこの種の表紙スタンドを設置することは少なくない。例えば、金融機関であれば「新商品の案内」であったり、百貨店などの流通系であれば「ハウスカードの入会案内」であったり、といった具合である。当然、個人の場合でも「卓上カレンダー」のような用途であれば、本発明は好適に利用可能である。
【図面の簡単な説明】
【００２８】
【図１】本発明に係る表示スタンド用台紙の一例を離間状態で示す斜視図である。
【図２】図１に示した離間状態の表示スタンド用台紙を側面から見た状態で示す説明図である。
【図３】図１及び図２に示した表示スタンド用台紙の組立手順の第１段階を示す説明図である。
【図４】上側基材を組み立てた表示スタンドの斜視図である。
【図５】上側基材を組み立てた表示スタンドの平面図である。
【図６】下側基材を組み立てた表示スタンドの斜視図である。
【図７】下側基材を組み立てた表示スタンドの平面図である。
【図８】下側基材で作られた表示スタンドの内部に上側基材で作られた表示スタンドを挿入した状態を示す斜視図である。
【符号の説明】
【００２９】
Ａ，Ｂ  表示スタンド
Ｓ  表示スタンド用台紙
ａ〜ｅ  折曲げ線
α  カット線
１  粘着剤
２  剥離剤
１０  上側基材
１１〜１６  パネル部分
１７  端部分
２０  下側基材
２１〜２３  パネル部分
２４  端部分
【図１】
2009080254.tif 000003
【図２】
2009080254.tif 000004
【図３】
2009080254.tif 000005
【図４】
2009080254.tif 000006
【図５】
2009080254.tif 000007
【図６】
2009080254.tif 000008
【図７】
2009080254.tif 000009
【図８】
2009080254.tif 000010